(57)【特許請求の範囲】
【請求項１】
長手方向がアウトセット引戸の開閉方向と平行になるように該アウトセット引戸の裏面に固着される固定部材と、該固定部材の前記長手方向に設定範囲だけ摺動可能に該固定部材に係合した摺動部材と、前記固定部材から離れる方向に前記摺動部材から突出して該摺動部材と一体的に形成されており戸枠の互いに対向する内側表面に当接する当接部とを備え、
アウトセット引戸が閉じた際には、前記当接部が前記戸枠の戸先側内面に当接し、前記摺動部材が前記固定部材の戸尻側へ摺動し戸先にかぶせ代を形成し、アウトセット引戸が開いた際には、前記当接部が前記戸枠の戸尻側内面に当接し、前記摺動部材が前記固定部材の戸先側へ摺動し引き残しが生じないように構成されていることを特徴とするアウトセット引戸用戸当り。
【請求項２】
前記固定部材が前記長手方向に伸長する案内溝を有しており、前記摺動部材が該案内溝に係合して前記長手方向に摺動自在に案内される摺動片を有していることを特徴とする請求項１に記載のアウトセット引戸用戸当り。
【請求項３】
前記案内溝における前記摺動片の摺動可能距離が前記設定範囲を規定していることを特徴とする請求項２に記載のアウトセット引戸用戸当り。
【請求項４】
前記案内溝における前記摺動片の摺動可能距離を変更可能な調整部材をさらに備えたことを特徴とする請求項３に記載のアウトセット引戸用戸当り。
【請求項５】
前記調整部材が、前記摺動部材に設けられた長穴と、該長穴に挿通した固定ねじと、前記長手方向の突出長さを変更可能であり前記固定ねじによって固定される調整板部材とを有していることを特徴とする請求項４に記載のアウトセット引戸用戸当り。
【請求項６】
前記当接部が、前記固定部材がアウトセット引戸に固着された際に前記戸枠の内側表面に当接可能であり、前記長手方向と垂直の平面板部材からなるストッパを有していることを特徴とする請求項１から５のいずれか１項に記載のアウトセット引戸用戸当り。
【請求項７】
前記当接部が、前記戸枠の内側表面と当接する面の少なくとも一部に、弾性材料によるダンパ部材を有していることを特徴とする請求項１から６のいずれか１項に記載のアウトセット引戸用戸当り。
【発明の詳細な説明】
【技術分野】
【０００１】
本発明は、アウトセット引戸に用いられる戸当りに関する。
【背景技術】
【０００２】
アウトセット引戸用の戸当りは、多くの場合、床付けされて床面から突出した状態となるが、これは引戸周辺の美観を損ねると共に、床掃除に支障を来すという問題がある。
【０００３】
このような不都合を解消するため、特許文献１には、引戸の開閉時に、弾性戸当り部が戸枠の縦枠材に当たって引戸を停止するように、その引戸の片面に取り付ける戸当りが開示されている。
【０００４】
また、特許文献２には、引戸の木口面に固着するベース板部と、このベース板部に一体成形され、ベース板部から垂直に引戸の開口方向へ向けて突出するように鍔状に延びる戸当り部とを備えたアウトセット引戸用戸当りが開示されている。
【先行技術文献】
【特許文献】
【０００５】
【特許文献１】特開２００６−３２２２４７号公報
【特許文献２】実用新案登録第３１２７５４５号公報
【発明の概要】
【発明が解決しようとする課題】
【０００６】
特許文献１及び２に記載された戸当りによれば、戸当り自体が床付けされていないので、床掃除に支障を来すこと及び引戸周辺の美観を損ねることがない。
【０００７】
しかしながら、特許文献１及び２に記載の戸当りを用いると、引戸を開けた際にその開口部を完全に開口させることができない（引き残しが生じる）という問題が発生し、特に、特許文献１に記載の戸当りでは、引戸の戸先におけるかぶせ代（引戸を閉じた際の引戸と戸枠との重なり長さ）を充分に取った場合に、引戸を開けた際の引き残しが大きくなるという問題が発生する。また、特許文献１に記載の戸当りでは、引戸の戸先において、かぶせ代がほとんど得られないという問題が発生する。
【０００８】
従って本発明の目的は、アウトセット引戸の戸先に充分なかぶせ代を得ることができると共にアウトセット引戸を開けた際に引き残しの生じることのないアウトセット引戸用戸当りを提供することにある。
【課題を解決するための手段】
【０００９】
本発明によれば、アウトセット引戸用戸当りは、長手方向がアウトセット引戸の開閉方向と平行になるようにアウトセット引戸の裏面に固着される固定部材と、この固定部材の長手方向に設定範囲だけ摺動可能に固定部材に係合した摺動部材と、固定部材から離れる方向に摺動部材から突出してこの摺動部材と一体的に形成されており戸枠の互いに対向する内側表面に当接する当接部とを備えている。
【００１０】
摺動部材は長手方向に設定範囲だけ摺動可能に固定部材に係合しており、この摺動部材から突出した当接部が戸枠の互いに対向する内側表面に当接するように構成されている。従って、アウトセット引戸が閉じた際には、当接部が戸枠の戸先側内面に当接して摺動部材が戸尻方向に設定範囲だけ摺動するので、アウトセット引戸の戸先に充分なかぶせ代を得ることができる。一方、アウトセット引戸が開いた際には、当接部が戸枠の戸尻側内面に当接して摺動部材が戸先方向に設定範囲だけ摺動するので、アウトセット引戸に引き残しの生じることがなく、戸枠の開口部が全開することとなる。
【００１１】
固定部材が長手方向に伸長する案内溝を有しており、摺動部材がこの案内溝に係合して長手方向に摺動自在に案内される摺動片を有していることが好ましい。この場合、案内溝における摺動片の摺動可能距離が上述の設定範囲を規定していることがより好ましい。
【００１２】
さらに、案内溝における摺動片の摺動可能距離を変更可能な調整部材をさらに備えたことも好ましい。この場合、調整部材が、摺動部材に設けられた長穴と、長穴に挿通した固定ねじと、長手方向の突出長さを変更可能であり固定ねじによって固定される調整板部材とを有していることがより好ましい。
【００１３】
当接部が、固定部材がアウトセット引戸に固着された際に戸枠の内側表面に当接可能であり、長手方向と垂直の平面板部材からなるストッパを有していることも好ましい。
【００１４】
当接部が、戸枠の内側表面と当接する面の少なくとも一部に、弾性材料によるダンパ部材を有していることも好ましい。
【発明の効果】
【００１５】
本発明によれば、アウトセット引戸の戸先に充分なかぶせ代を得ることができると共にアウトセット引戸を開けた際に引き残しの生じることがなく、開口部が全開する。
【図面の簡単な説明】
【００１６】
【図１】本発明の一実施形態において、戸当りを装着したアウトセット引戸全体の構成を概略的に示す斜視図である。
【図２】図１の実施形態において、摺動部材が引戸全閉対応位置に摺動した状態の１つの戸当りの構成を概略的に示す斜視図である。
【図３】図１の実施形態において、摺動部材が引戸全開対応位置に摺動した状態の１つの戸当りの構成を概略的に示す斜視図である。
【図４】図２及び図３に示したアウトセット引戸及び戸当りの各構成部材を概略的に示す分解斜視図である。
【図５】摺動部材が引戸全閉対応位置に摺動した状態の戸当り単体の構成を概略的に示す斜視図である。
【図６】摺動部材が引戸全開対応位置に摺動した状態の戸当り単体の構成を概略的に示す斜視図である。
【図７】摺動部材が引戸全閉対応位置に摺動した状態の戸当り単体の構成を概略的に示す（Ａ）平面図、（Ｂ）Ｂ−Ｂ線断面図、（Ｃ）側面図である。
【図８】摺動部材が引戸全開対応位置に摺動した状態の戸当り単体の構成を概略的に示す（Ａ）平面図、（Ｂ）Ｂ−Ｂ線断面図、（Ｃ）側面図である。
【図９】アウトセット引戸を閉じる際の本実施形態における戸当りの動作を説明する図である。
【図１０】アウトセット引戸が開く際の本実施形態における戸当りの動作を説明する図である。
【図１１】本発明の他の実施形態において、摺動部材が引戸全閉対応位置に摺動した状態の戸当りのかぶせ代調整機構の構成を概略的に示す断面図である。
【図１２】図１１の実施形態において、摺動部材が引戸全開対応位置に摺動した状態の戸当りの引き残し代調整機構の構成を概略的に示す断面図である。
【図１３】図１１の実施形態における戸当りのかぶせ代調整機構の構成を概略的に示す展開斜視図である。
【発明を実施するための形態】
【００１７】
図１は本発明の一実施形態において、戸当りを装着したアウトセット引戸全体の構成を概略的に示す斜視図である。
【００１８】
同図において、１０は上吊り式のアウトセット引戸、１１はアウトセット引戸１０の取っ手、１２は引戸用レールが内部に設けられるブラケット、１３はブラケット１２のサイドカバー、１４は戸枠、１５及び１６はアウトセット引戸１０の裏面１０ａ（戸枠１４側）の上部及び下部に堀込で固着された戸当り、１７は戸枠１４の戸尻側枠材の内側表面に設けられたストライク部材、１９は戸枠１４の戸先側枠材の内側表面に設けられたストライク部材をそれぞれ示している。なお、本実施形態は上吊り式のアウトセット引戸に戸当りを装着した場合であるが、本発明の戸当りは、下荷重式又はその他のアウトセット引戸にも同様に装着できることは明らかである。また、本実施形態では２つの戸当り１５及び１６をアウトセット引戸１０の上部及び下部に設けているが、アウトセット引戸の寸法等の条件によっては、１つの戸当りを適切な箇所に設けても良いし、３つ以上の戸当りを設けても良い。
【００１９】
図２は本実施形態において、摺動部材が引戸全閉対応位置に摺動した状態（摺動部材４１が戸尻方向に摺動している状態）の戸当り１６の構成を概略的に示す斜視図であり、図３は本実施形態において、摺動部材が引戸全開対応位置に摺動した状態（摺動部材４１が戸先方向に摺動している状態）の戸当り１６の構成を概略的に示す斜視図であり、図４は図２及び図３に示したアウトセット引戸１０及び戸当り１６の各構成部材を概略的に示す分解斜視図である。即ち、図２はアウトセット引戸が全閉された後に開く方向に移動された際の戸当りの動作状態を示しており、図３はアウトセット引戸が全開された後に閉じる方向に移動された際の戸当りの動作状態を示している。
【００２０】
これらの図に示すように、本実施形態の戸当り１６は、固定部材４０と、摺動部材４１と、ストッパ４２とから主として構成されている。
【００２１】
固定部材４０は、アウトセット引戸１０の裏面１０ａに堀込形成された水平方向（引戸の開閉方向）に伸長する非貫通の凹状穴４６（図４）内に差し込まれ、木ねじ４３ａ〜４３ｅ（図７及び図８参照）を用いてこの裏面１０ａに固着されている。即ち、固定部材４０は、その長手方向（矢印ＬＤの方向）が引戸の開閉方向（水平方向）と平行となるようにアウトセット引戸１０の裏面１０ａに固着されている。
【００２２】
この固定部材４０は、図４に示すように、長手方向断面がＬ字状に形成されたベース部材４０ａと、このベース部材４０ａに固着されて一体化された案内溝部材４０ｂとを備えている。ベース部材４０ａは、長手方向ＬＤに沿って水平に伸長する平坦部分４０ａ１と、この平坦部分４０ａ１の両端から略垂直に立ち上がる立ち上がり部分４０ａ２及び４０ａ３と、これら立ち上がり部分４０ａ２及び４０ａ３から水平にそれぞれ伸長する鍔部分４０ａ４及び４０ａ５とを備えた板部材で構成されている。さらに、ベース部材４０ａは、凹状穴４６への固着用の木ねじが挿通する孔４０ａ６、４０ａ７、４０ａ８、４０ａ９及び４０ａ１０を備えている。
【００２３】
案内溝部材４０ｂは、長手方向ＬＤに伸長する溝４０ｂ１を備えており、この溝４０ｂ１は長手方向ＬＤに伸長し互いに対向して突出する凸条４０ｂ２及び４０ｂ３をその開口部に有している。これら凸条４０ｂ２及び４０ｂ３は、摺動片４１ａのエラ部（横方向への突出部）４１ａ１及び４１ａ２とそれぞれ係合するように構成されている。案内溝部材４０ｂの溝４０ｂ１の底面には、凹状穴４６への固着用の木ねじが挿通する孔４０ｂ４、４０ｂ５及び４０ｂ６が設けられている。
【００２４】
固定部材４０には、摺動部材４１が、長手方向ＬＤに設定範囲だけ摺動可能に係合されている。摺動部材４１は、固定部材４０の案内溝部材４０ｂに係合してこの案内溝部材４０ｂに沿って長手方向ＬＤに摺動自在である摺動片４１ａと、摺動片４１ａに固定ねじ４４ａ及び４４ｂによって固着され一体化されている板部材４１ｂとを備えている。
【００２５】
摺動片４１ａは、長手方向ＬＤに伸長する上述したエラ部４１ａ１及び４１ａ２を備えており、さらに、板部材４１ｂを固着するための固定ねじ用のねじ孔４１ａ３及び４１ａ４並びに木ねじが挿通する貫通孔４１ａ５を有している。
【００２６】
板部材４１ｂには、この板部材４１ｂを摺動片４１ａに固着するための固定ねじ用の皿孔４１ｂ１及び４１ｂ２が設けられている。
【００２７】
本実施形態において、摺動部材４１の板部材４１ｂには、固定部材４０から離れる方向に垂直に突出したストッパ４２が一体的に形成されている。このストッパ４２は、長手方向ＬＤに対して垂直な平面となっている平面板部材から主に構成されており、戸枠の内側表面と当接するその両表面の少なくとも一部には、例えば樹脂又はゴム等の弾性材料によって形成されたダンパ部材４５が被着されている。図に示した例では、キャップ状のダンパ部材４５がストッパ４２の先端から被せられた構成となっている。なお、ダンパ部材４５は、戸枠の内側表面とストッパ４２との衝突による衝撃をやわらげ、衝撃音も低減できることができるものであれば、どのような材料及び構造であっても良い。
【００２８】
ストッパ４２は、アウトセット引戸１０が全閉された際に戸枠１４の戸先側枠材の内側表面１４ｂに設けられたストライク部材１９（図９参照）とその一方の面が当接し、これによって摺動部材４１が上述した設定範囲だけ摺動した後、アウトセット引戸１０の移動が停止せしめられる。逆に、ストッパ４２は、アウトセット引戸１０が全開された際に戸枠１４の戸尻側枠材の内側表面１４ａに設けられたストライク部材１７（図１０参照）とその他方の面が当接し、これによって摺動部材４１が上述した設定範囲だけ摺動した後、アウトセット引戸１０の移動が停止せしめられる。ストッパ４２が、戸枠１４の枠材の内側表面自体に直接当接するように構成しても良いが、ストライク部材１７及び１９に当接するように構成することが枠材の損傷等を軽減する点で望ましい。図１〜図３に示すように、本実施形態では、戸枠１４の戸尻側枠材の内側表面１４ａに、ストライク部材１７が木ねじ１８ａ及び１８ｂによって固着されている。また、図１に示すように、戸枠１４の戸先側枠材の内側表面１４ｂ（図９参照）にも、同様に、ストライク部材１９が木ねじによって固着されている。
【００２９】
なお、他方の戸当り１５の構造、動作及び作用効果は、上述した戸当り１６の場合と同様である。
【００３０】
次に本実施形態における戸当りの構造について、図５〜図８を用いてより詳細に説明する。
【００３１】
図５は摺動部材が引戸全閉対応位置に摺動した状態の戸当り単体の構成を概略的に示す斜視図であり、図６は摺動部材が引戸全開対応位置に摺動した状態の戸当り単体の構成を概略的に示す斜視図であり、図７は摺動部材が引戸全閉対応位置に摺動した状態の戸当り単体の構成を概略的に示す（Ａ）平面図、（Ｂ）Ｂ−Ｂ線断面図、（Ｃ）側面図であり、図８は摺動部材が引戸全開対応位置に摺動した状態の戸当り単体の構成を概略的に示す（Ａ）平面図、（Ｂ）Ｂ−Ｂ線断面図、（Ｃ）側面図である。なお、図５〜図８においては、戸当りの向きが、図２〜図４の場合と逆方向となっている。
【００３２】
図５〜図８に示すように、戸当りは、アウトセット引戸の裏面に固着される固定部材４０と、この固定部材４０の長手方向ＬＤに設定範囲だけ摺動可能に係合された摺動部材４１と、この摺動部材４１に一体化されており、固定部材４０から離れる方向に垂直に突出したストッパ４２とから主として構成されている。
【００３３】
固定部材４０は、前述したように、ベース部材４０ａと、このベース部材４０ａに一体化された案内溝部材４０ｂとを有しており、図７（Ｂ）及び図８（Ｂ）に示すように、そのベース部材４０ａがアウトセット引戸の裏面に木ねじ４３ａ、４３ｂ、４３ｃ、４３ｄ及び４３ｅによって固着される。案内溝部材４０ｂは、長手方向ＬＤに伸長しており、その両端がベース部材４０ａの立ち上がり部分４０ａ２及び４０ａ３によって閉止されている。案内溝部材４０ｂのこの閉止された両端間の距離が摺動片４１ａの摺動可能距離を規定している。
【００３４】
次に本実施形態における戸当りの動作について説明する。
【００３５】
図９はアウトセット引戸を閉じる際の戸当りの動作を説明する図であり、図１０はアウトセット引戸を開く際の戸当りの動作を説明する図である。ただし、これらの図は、アウトセット引戸及び戸枠について、上方から見た状態を示す水平断面図である。
【００３６】
アウトセット引戸１０が開いている場合、戸当りは、通常、図３、図６及び図８に示すように、摺動部材４１が引戸全開対応位置（即ち、摺動部材４１が図３に示すように最右端に位置する状態、又は摺動部材４１の摺動片４１ａが固定部材４０の図６及び図８に示すように左側の立ち上がり部分４０ａ２に当接して停止している状態）にある。この状態で、アウトセット引戸１０が閉じる方向に移動すると、ストッパ４２の一方の面が戸枠１４の戸先側枠材の内側表面１４ｂに取り付けられたストライク部材）に当接する。この状態が、図９（Ａ）に示されている。アウトセット引戸１０がさらに閉じられると、ストッパ４２が内側表面１４ｂに押されることにより、摺動部材４１は移動を停止するが、案内溝部材４０ｂは摺動部材４１の摺動片４１ａに対して摺動可能であるため、アウトセット引戸１０の移動と共に、図９（Ａ）にて左方向に移動する。摺動部材４１の摺動片４１ａが案内溝部材４０ｂの終端である固定部材４０の右側の立ち上がり部分４０ａ３が摺動部材４１の摺動片４１ａに当接すると、この摺動が停止し、これによりアウトセット引戸１０も移動を停止して全閉状態となる。この状態が、図９（Ｂ）に示されている。
【００３７】
図９（Ａ）及び（Ｂ）から分かるように、摺動片４１ａと案内溝部材４０ｂとは距離ｄの範囲で相対的に摺動することができるため、アウトセット引戸１０は図９（Ａ）に示す位置で停止することなく、図９（Ｂ）に示す全閉位置まで移動でき、その結果、アウトセット引戸１０として、戸枠１４に対して充分なかぶせ代ｋを得ることができる。しかも、戸当りは、アウトセット引戸１０の裏面側に取り付けられていることから表面側からは全く見えないので、アウトセット引戸の美観を損ねることがない。
【００３８】
アウトセット引戸１０が閉じている場合、戸当りは、通常、図２、図５及び図７に示すように、摺動部材４１が引戸全閉対応位置（即ち、摺動部材４１が図２において最左端に位置する状態、又は摺動部材４１の摺動片４１ａが固定部材４０の図５及び図７にて右側の立ち上がり部分４０ａ３に当接して停止している状態）にある。この状態で、アウトセット引戸１０が開く方向に移動すると、ストッパ４２の他方の面が戸枠１４の戸尻側枠材の内側表面１４ａに取り付けられたストライク部材１７に当接する。この状態が、図１０（Ａ）に示されている。アウトセット引戸１０がさらに閉じられると、ストッパ４２が内側表面１４ａに押されることにより、摺動部材４１は移動を停止するが、案内溝部材４０ｂは摺動部材４１の摺動片４１ａに対して摺動可能であるため、アウトセット引戸１０の移動と共に、図１０（Ａ）にて右方向に移動する。案内溝部材４０ｂの終端である固定部材４０の左側の立ち上がり部分４０ａ２が摺動部材４１の摺動片４１ａに当接すると、この摺動が停止し、これによりアウトセット引戸１０も移動を停止して全開状態となる。この状態が、図１０（Ｂ）に示されている。
【００３９】
図１０（Ａ）及び（Ｂ）から分かるように、摺動片４１ａと案内溝部材４０ｂとは距離ｄの範囲で相対的に摺動することができるため、アウトセット引戸１０は図１０（Ａ）に示す位置で停止することなく、図１０（Ｂ）に示す全開位置まで移動でき、その結果、アウトセット引戸１０として、戸枠１４に対して引き残し代をゼロとすることができる。しかも、戸当りは、アウトセット引戸１０の裏面側に取り付けられていることから表面側からはほとんど全く見えないので、アウトセット引戸の美観を損ねることがない。
【００４０】
以上説明したように、本実施形態によれば、戸当りの摺動部材４１の摺動片４１ａが案内溝部材４０ｂ内を左右方向に摺動可能となっているため、アウトセット引戸１０が閉じた際には、ストッパ４２が戸枠の戸先側内面１４ｂに当接して摺動片４１ａの移動が停止しても、案内溝部材４０ｂはこの摺動片４１ａに対して摺動可能であり、アウトセット引戸１０と共に戸先方向に移動するので、アウトセット引戸１０の戸先に充分なかぶせ代を得ることができる。一方、アウトセット引戸１０が開いた際には、ストッパ４２が戸枠の戸尻側内面１４ａに当接して摺動片４１ａの移動が停止しても、案内溝部材４０ｂはこの摺動片４１ａに対して摺動可能であり、アウトセット引戸１０と共に戸尻方向に移動するので、アウトセット引戸１０に引き残しの生じることがなく、戸枠の開口部が全開することとなる。
【００４１】
なお、本実施形態においては、固定部材を堀込形成して戸当りをアウトセット引戸１０に取り付けているが、アウトセット引戸と戸枠との間隙に余裕がある場合、戸当りをより薄く構成できる場合は、堀込して固着することなく、アウトセット引戸の裏面１０ａ上に戸当りを取り付けしても良いことはもちろんである。
【００４２】
図１１は本発明の他の実施形態において、摺動部材が引戸全閉対応位置に摺動した状態の戸当りのかぶせ代調整機構の構成を概略的に示す図であり、図１２は本実施形態において、摺動部材が引戸全開対応位置に摺動した状態の戸当りの引き残し代調整機構の構成を概略的に示す図であり、図１３は本実施形態における戸当りのかぶせ代調整機構の構成を概略的に示す展開斜視図である。ただし、図１１及び図１２は、アウトセット引戸及び戸枠について、上方から見た状態を示す水平断面図である。
【００４３】
なお、本実施形態における、アウトセット引戸１０及び戸枠１４の構成は、図１に示した構成と同じであり、従って同様の構成要素については同じ参照番号を使用する。また、本発明の戸当りは、上吊り式のアウトセット引戸はもちろんのこと、下荷重式又はその他のアウトセット引戸にも同様に装着できることは明らかである。また、本実施形態では２つの戸当りをアウトセット引戸１０の上部及び下部に設けているが、アウトセット引戸の寸法等の条件によっては、１つの戸当りを適切な箇所に設けても良いし、３つ以上の戸当りを設けても良い。
【００４４】
図１１及び図１２に示すように、本実施形態における戸当りの固定部材１００は、固定部材１００と、摺動部材１０１と、ストッパ１０２と、かぶせ代調整機構と、引き残し代調整機構とから主として構成されている。
【００４５】
固定部材１００は、アウトセット引戸１０の裏面に堀込形成された水平方向（引戸の開閉方向）に伸長する非貫通の凹状穴４６（図４）内に差し込まれ、木ねじ１０３ａ〜１０３ｅを用いてこの裏面１０ａに固着されている。即ち、固定部材１００は、その長手方向（矢印ＬＤの方向）が引戸の開閉方向（水平方向）と平行となるようにアウトセット引戸１０の裏面１０ａに固着されている。
【００４６】
この固定部材１００は、図１〜図１０の実施形態において図４に示した固定部材４０と同様の構成を有している。即ち、長手方向断面がＬ字状に形成されたベース部材１００ａと、このベース部材１００ａに固着されて一体化された案内溝部材１００ｂとを備えている。ベース部材１００ａは、長手方向ＬＤに沿って水平に伸長する平坦部分１００ａ１と、この平坦部分１００ａ１の両端から略垂直に立ち上がる立ち上がり部分１００ａ２及び１００ａ３と、これら立ち上がり部分１００ａ２及び１００ａ３から水平にそれぞれ伸長する鍔部分１００ａ４及び１００ａ５とを備えた板部材で構成されている。さらに、ベース部材１００ａは、凹状穴４６への固着用の木ねじが挿通する孔（図示なし）を備えている。
【００４７】
この固定部材１００には、摺動部材１０１が長手方向に設定範囲だけ摺動可能に係合されている。この摺動部材１０１は、固定部材１００の案内溝部材１００ｂに係合してこの案内溝部材１００ｂに沿って長手方向に摺動自在である摺動片１０１ａと、摺動片１０１ａに固定ねじ１０４ａ及び１０４ｂによって固着され一体化されている板部材１０１ｂとを備えている。案内溝部材１００ｂは、長手方向に伸長しており、その両端がベース部材１００ａの立ち上がり部分１００ａ２及び１００ａ３によって閉止されている。
【００４８】
本実施形態において、摺動部材１０１の板部材１０１ｂには、固定部材１００から離れる方向に垂直に突出したストッパ１０２が一体的に形成されている。このストッパ１０２は、長手方向に対して垂直な平面となっている平面板部材から主に構成されており、戸枠の内側表面と当接するその両表面の少なくとも一部には、例えば樹脂又はゴム等の弾性材料によって形成されたダンパ部材１０５が被着されている。図に示した例では、キャップ状のダンパ部材１０５がストッパ１０２の先端から被せられた構成となっている。なお、ダンパ部材１０５は、戸枠の内側表面とストッパ１０２との衝突による衝撃をやわらげ、衝撃音も低減できることができるものであれば、どのような材料及び構造であっても良い。
【００４９】
ストッパ１０２は、アウトセット引戸１０が全閉された際に戸枠１４の戸先側枠材の内側表面１４ｂに設けられたストライク部材１９（図１１参照）とその一方の面が当接し、これによって摺動部材１０１が上述した設定範囲だけ摺動した後、アウトセット引戸１０の移動が停止せしめられる。逆に、ストッパ１０２は、アウトセット引戸１０が全開された際に戸枠１４の戸尻側枠材の内側表面１４ａに設けられたストライク部材１７（図１２参照）とその他方の面が当接し、これによって摺動部材１０１が上述した設定範囲だけ摺動した後、アウトセット引戸１０の移動が停止せしめられる。ストッパ１０２が、戸枠１４の枠材の内側表面自体に直接当接するように構成しても良いが、ストライク部材１７及び１９に当接するように構成することが枠材の損傷等を軽減する点で望ましい。
【００５０】
本実施形態においては、後述するように、摺動部材１００に戸当りのかぶせ代調整機構と引き残し代調整機構とが設けられており、従って、かぶせ代及び引き残し代を可変調整することができる。以下、かぶせ代調整機構及び引き残し代調整機構について、詳細に説明する。
【００５１】
固定部材１００の案内溝部材１００ｂの閉止された両端間の距離が摺動片１０１ａの摺動可能距離を規定しているが、本実施形態では、摺動片１０１ａの長手方向長さをかぶせ代調整機構及び／又は引き残し代調整機構で調整することによって、この摺動可能距離が可変となっている。
【００５２】
即ち、図１１及び図１３に示すように、かぶせ代調整機構は、板部材１０１ｂに形成された貫通穴１０１ｂ２と、摺動片１０１ａに形成された固定ねじの長孔１０１ａ２と、摺動片１０１ａの長手方向の摺動孔１０１ａ３内に摺動自在に挿入された調整板部材１２１と、摺動片１０１ａの長孔１０１ａ２を介して調整板部材１２１のねじ孔１２１ａに螺合する固定ねじ１２２ｂとから主として構成される。調整板部材１２１は長手方向の突出長さを変更可能であり、固定ねじ１２２ｂによって摺動片１０１ａに固定される。具体的な調整は、まず、固定ねじ１２２ｂをゆるめ、長穴１０１ａ２に沿って固定ねじ１２２ｂ及び調整板部材１２１を移動させ、位置が定まったら、固定ねじ１２２ｂを再度締めることで行われる。
【００５３】
図１１（Ａ）に示すように、調整板部材１２１の長手方向の突出長さを短く設定すれば、摺動片１０１ａの長手方向の摺動距離が大きくなるため、アウトセット引戸１０の戸枠１４に対するかぶせ代ｋは大きくなる。これに対して、図１１（Ｂ）に示すように、調整板部材１２１の長手方向の突出長さを長く設定すれば、摺動片１０１ａの長手方向の摺動距離が小さくなるため、アウトセット引戸１０の戸枠１４に対するかぶせ代ｋは小さくなる。
【００５４】
図１２に示すように、引き残し代調整機構は、板部材１０１ｂに形成された貫通穴１０１ｂ１と、摺動片１０１ａに形成された固定ねじの長孔１０１ａ１と、摺動片１０１ａの長手方向の摺動孔（図示なし）内に摺動自在に挿入された調整板部材１２０と、摺動片１０１ａの長孔１０１ａ１を介して調整板部材１２０のねじ孔に螺合する固定ねじ１２２ａとから主として構成される。調整板部材１２０は長手方向の突出長さを変更可能であり、固定ねじ１２２ａによって摺動片１０１ａに固定される。具体的な調整は、まず、固定ねじ１２２ａをゆるめ、長穴１０１ａ１に沿って固定ねじ１２２ａ及び調整板部材１２０を移動させ、位置が定まったら、固定ねじ１２２ａを再度締めることで行われる。
【００５５】
図１２（Ａ）に示すように、調整板部材１２０の長手方向の突出長さを短く設定すれば、摺動片１０１ａの長手方向の摺動距離が大きくなるため、アウトセット引戸１０の戸枠１４に対する引き残し代ｈはほとんどゼロとなり、アウトセット引戸１０は全開状態となる。これに対して、図１２（Ｂ）に示すように、調整板部材１２０の長手方向の突出長さを長く設定すれば、摺動片１０１ａの長手方向の摺動距離が小さくなるため、アウトセット引戸１０の戸枠１４に対する引き残し代ｈが大きくなる。
【００５６】
アウトセット引戸を閉じる際及びアウトセット引戸を開く際の本実施形態における戸当りの動作及び作用効果は、図１〜図１０の実施形態の場合と同様であるため、説明を省略する。
【００５７】
以上説明したように、本実施形態によれば、戸当りの摺動部材１０１の摺動片１０１ａが案内溝部材１００ｂ内を左右方向に摺動可能となっているため、アウトセット引戸１０が閉じた際には、ストッパ１０２が戸枠の戸先側内面１４ｂに当接して摺動片１０１ａの移動が停止しても、案内溝部材１００ｂはこの摺動片１０１ａに対して摺動可能であり、アウトセット引戸１０と共に戸先方向に移動するので、アウトセット引戸１０の戸先に充分なかぶせ代を得ることができる。一方、アウトセット引戸１０が開いた際には、ストッパ１０２が戸枠の戸尻側内面１４ａに当接して摺動片１０１ａの移動が停止しても、案内溝部材１００ｂはこの摺動片１０１ａに対して摺動可能であり、アウトセット引戸１０と共に戸尻方向に移動するので、アウトセット引戸１０に引き残しの生じることがなく、戸枠の開口部が全開することとなる。特に本実施形態では、かぶせ代調整機構及び引き残し代調整機構が設けられているため、これによって摺動片１０１ａの長手方向長さを調整し、かぶせ代及び引き残し代を所望の値に簡単に調整することができる。
【００５８】
なお、本実施形態においては、固定部材を堀込形成して戸当りをアウトセット引戸１０に取り付けているが、アウトセット引戸と戸枠との間隙に余裕がある場合、戸当りをより薄く構成できる場合は、堀込して固着することなく、アウトセット引戸の裏面１０ａ上に戸当りを取り付けしても良いことはもちろんである。
【００５９】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００６０】
１０  アウトセット引戸
１０ａ  裏面
１１  取っ手
１２  ブラケット
１３  サイドカバー
１４  戸枠
１４ａ、１４ｂ  内側表面
１５、１６  戸当り
１７、１９  ストライク部材
１８ａ、１８ｂ、４３ａ、４３ｂ、４３ｃ、４３ｄ、４３ｅ、１０３ａ、１０３ｂ、１０３ｃ、１０３ｄ、１０３ｅ  木ねじ
４０、１００  固定部材
４０ａ、１００ａ  ベース部材
４０ａ１、１００ａ１  平坦部分
４０ａ２、４０ａ３、１００ａ２、１００ａ３  立ち上がり部分
４０ａ４、４０ａ５、１００ａ４、１００ａ５  鍔部分
４０ａ６、４０ａ７、４０ａ８、４０ａ９、４０ａ１０、４０ｂ４、４０ｂ５、４０ｂ６  孔
４０ｂ、１００ｂ  案内溝部材
４０ｂ１  溝
４０ｂ２、４０ｂ３  凸条
４１、１０１  摺動部材
４１ａ、１０１ａ  摺動片
４１ａ１、４１ａ２  エラ部
４１ａ５  貫通孔
４１ａ３、４１ａ４、１２１ａ  ねじ孔
４１ｂ、１０１ｂ  板部材
４１ｂ１、４１ｂ２  皿孔
４２、１０２  ストッパ
４４ａ、４４ｂ、１０４ａ、１０４ｂ、１２２ａ、１２２ｂ  固定ねじ
４５、１０５  ダンパ部材
４６  凹状穴
１０１ｂ１、１０１ｂ２  貫通孔
１０１ａ１、１０１ａ２  長穴
１０１ａ３  摺動孔
１２０、１２１  調整板部材
ＬＤ  長手方向
ｄ  距離
ｋ  かぶせ代
ｈ  引き残し代
【図１】
0005925453.tif 000002
【図２】
0005925453.tif 000003
【図３】
0005925453.tif 000004
【図４】
0005925453.tif 000005
【図５】
0005925453.tif 000006
【図６】
0005925453.tif 000007
【図７】
0005925453.tif 000008
【図８】
0005925453.tif 000009
【図９】
0005925453.tif 000010
【図１０】
0005925453.tif 000011
【図１１】
0005925453.tif 000012
【図１２】
0005925453.tif 000013
【図１３】
0005925453.tif 000014